(57)【要約】【課題】本発明は、除菌、脱臭性能を高めることができる空気浄化装置を提供することを目的とする。【解決手段】そしてこの目的を達成するために本発明は、吸気口２と吹出口３とを有した本体ケース１と、本体ケース１内には、空気浄化手段５と、吸気口２から空気浄化手段５を介して吹出口３までを連通する空気流路１２と、空気流路１２に吸気口２から空気を送風する送風手段４とを備え、空気浄化手段５は、水を貯水するトレイ６と、トレイ６内で水を電解水へ生成する電解ユニット８と、中空円筒状にして回転可能に形成し前記電解水に一部が浸漬するように配置したフィルター部９とを有し、フィルター部９の下流側での相対湿度が飽和する回転速度で回転させるものである。【選択図】図３
2016043108.tif 000002
【特許請求の範囲】
【請求項１】
吸気口と吹出口とを有した本体ケースと、
前記本体ケース内には、
空気浄化手段と、
前記吸気口から前記空気浄化手段を介して前記吹出口までを連通する空気流路と、
前記空気流路に前記吸気口から空気を送風する送風手段とを備え、
前記空気浄化手段は、
水を貯水するトレイと、
前記トレイ内で水を電解水へ生成する電解ユニットと、
中空円筒状にして回転可能に形成し前記電解水に一部が浸漬するように配置したフィルター部とを有し、
前記フィルター部の下流側での相対湿度が飽和する回転速度で回転させることを特徴とする空気浄化装置。
【発明の詳細な説明】
【技術分野】
【０００１】
本発明は、水に通電することにより得られる電解水を用いて、空気中の細菌、真菌、ウイルス、臭いなどの除去を行う空気浄化装置に関するものである。
【背景技術】
【０００２】
従来のこの種の空気浄化装置の構造は、以下のようになっていた。
【０００３】
すなわち、水を電気分解して電解水を生成させ、この電解水をフィルター部に供給し、空気と電解水を接触させ、空気中に細菌、ウイルス、臭気等の除去を図る構成となっていた（例えば下記特許文献１）。
【先行技術文献】
【特許文献】
【０００４】
【特許文献１】特開２０１２−０５２６９９号公報
【発明の概要】
【発明が解決しようとする課題】
【０００５】
この種の電解水を室内空気に接触させて、細菌、ウイルス、臭気などの除去を行う空気浄化装置においては、除菌脱臭効果を高めることが求められる。
【０００６】
そこで、本発明は上記課題を解決するものであり、除菌、脱臭性能を高めることができる空気浄化装置を提供することを目的としている。
【課題を解決するための手段】
【０００７】
そして、この目的を達成するために本発明は、吸気口と吹出口とを有した本体ケースと、前記本体ケース内には、空気浄化手段と、前記吸気口から前記空気浄化手段を介して前記吹出口までを連通する空気流路と、前記空気流路に前記吸気口から空気を送風する送風手段とを備え、前記空気浄化手段は、水を貯水するトレイと、前記トレイ内で水を電解水へ生成する電解ユニットと、中空円筒状にして回転可能に形成し前記電解水に一部が浸漬するように配置したフィルター部とを有し、前記フィルター部の下流側での相対湿度が飽和する回転速度で回転させるものである。そして、これら手段により、初期の目的を達成するものである。
【発明の効果】
【０００８】
以上のように本発明は、フィルター部がフィルター部の空気流路下流側での相対湿度が飽和する回転速度で回転することで、フィルター上において十分水分が含有した状態となり、細菌、ウイルス、臭気などを含む室内空気と電解水の接触する頻度を高め、電解水に細菌、ウイルス、臭気を取り込み、脱臭、除菌効果を向上できる。
【０００９】
また、フィルター部が再びトレイに貯水された電解水に浸水する頻度も増えることで、フィルター部に付着した細菌、ウイルス、臭気などの汚れをトレイ内の電解水に拡散させて洗い流す効果が向上し、再度きれいな状態の電解水をフィルター部に含ませることで、全体として除菌、脱臭性能を高めることが出来る空気浄化装置を提供することができる。
【図面の簡単な説明】
【００１０】
【図１】本発明の実施の形態１の空気浄化装置の概略図
【図２】同空気浄化装置の概略断面を示す図
【図３】同空気浄化装置のフィルター部の概略構成を示す図
【発明を実施するための形態】
【００１１】
本発明の請求項１記載の空気浄化装置は、吸気口と吹出口とを有した本体ケースと、前記本体ケース内には、空気浄化手段と、前記吸気口から前記空気浄化手段を介して前記吹出口までを連通する空気流路と、前記空気流路に前記吸気口から空気を送風する送風手段とを備え、前記空気浄化手段は、水を貯水するトレイと、前記トレイ内で水を電解水へ生成する電解ユニットと、中空円筒状にして回転可能に形成し前記電解水に一部が浸漬するように配置したフィルター部とを有し、前記フィルター部の下流側での相対湿度が飽和する回転速度で回転させることを特徴とする。
【００１２】
これにより、フィルター部がフィルター部の空気流路下流側での相対湿度が飽和する回転速度で回転することで、フィルター部上において十分水分が含有した状態となり、細菌、ウイルス、臭気などを含む室内空気と電解水の接触する頻度を高め、電解水に細菌、ウイルス、臭気を取り込み、脱臭、除菌効果を向上できる効果を奏する。
【００１３】
また、フィルター部が再びトレイに貯水された電解水に浸水する頻度も増えることで、フィルター部に付着した細菌、ウイルス、臭気などの汚れをトレイ内の電解水に拡散させて洗い流す効果が向上し、再度きれいな状態の電解水をフィルター部に含ませることで、全体として除菌、脱臭性能を高めることが出来る効果を奏する。
【００１４】
以下、本発明の実施の形態について図面を参照しながら説明する。
【００１５】
（実施の形態１）
図１に示すように、本実施の形態の空気浄化装置においては、略箱形状の本体ケース１を備えている。本体ケース１の両側面には、略四角形状の吸気口２を設け、また本体ケース１の天面には、略四角形状の吹出口３を設けている。
【００１６】
図２に示すように、この本体ケース１内には、送風手段４と空気浄化手段５を備えている。
【００１７】
送風手段４は、本体ケース１の上部に設けられ、モータとモータにより回転する羽根車とそれらを囲むケースとから構成したシロッコファンである。
【００１８】
空気浄化手段５は、水を貯水するトレイ６と、トレイ６に水を供給する給水タンク７と、トレイ６内の水で電解水を生成する電解ユニット８と、トレイ６内の電解水に一部を浸漬したフィルター部９とから構成している。
【００１９】
トレイ６は、天面を開口した箱形状をしており、水を貯水できる構造となっており、本体ケース１の下部に配置され、本体ケース１から水平方向にスライドして着脱可能となっている。
【００２０】
給水タンク７は本体ケース１内部の正面側に、トレイ６に内蔵される形で設置され、トレイ６から着脱可能な構造となっている。
【００２１】
給水タンク７は水栓１０を設けたキャップ１１により密閉できる構造となっている。トレイ６に給水タンク７を設置すると、キャップ１１に設けた水栓１０が解放し、水をトレイ６に供給する構造となっている。水面が水栓１０まで上昇してくると、水面により水栓１０が閉じて給水タンク７が密閉され、水の供給が停止し、常に一定量の水を供給することができる。
【００２２】
電解ユニット８は、複数枚の電極板で構成されており、この電極板がトレイ６内の水に浸かるように設置されている。これらの電極に通電することによりトレイ６内の塩化物イオンを含む水を電気化学的に電気分解することとなり、電解水を生成する。塩化物イオンを含む水は、例えば、水道水に塩化ナトリウムを溶解させた水を用いることができる。
【００２３】
フィルター部９は、トレイ６において電解ユニット８により生成された電解水と、送風手段４によって本体ケース１内に吸込まれた室内空気とを接触させる部材である。さらにフィルター部９は、中空円筒状に構成され、円筒部分に空気が流通可能な孔を備えており、その円筒部分の一部がトレイ６の電解水に浸漬できるように、トレイ６に回転自在に内蔵されている。
【００２４】
そして、図３に示すように、駆動部１４による回転がされ、電解水と室内空気を連続的に接触させる構造となっている。
【００２５】
フィルター部９の下流側の空気流路１２には、湿度センサ１３が設置され、駆動部１４は、フィルター部９の下流側で相対湿度が飽和するようにフィルター部９の回転速度を制御するものである。
【００２６】
なお、フィルター部９を構成する材料としては、電解水に反応性の少ない材料、即ち、電解水による劣化が少ない材料、例えばポリオレフィン系樹脂（ポリエチレン樹脂、ポリプロピレン樹脂等）、ＰＥＴ（ポリエチレン・テレフタラート樹脂）、塩化ビニル樹脂、フッ素系樹脂（ＰＴＦＥ、ＰＦＡ、ＥＴＦＥ等）、セルロース系材料又はセラミック系材料等が使用され、本実施例では、ポリエステルが採用される。
【００２７】
以上の構成において、空気浄化装置の動作を説明する。
【００２８】
給水タンク７により水道水がトレイ６に供給される。このときユーザーにより、塩化ナトリウムが同時にトレイ６に投入される。通電された電解ユニット８は、塩化物イオンを含んだ水を電気分解して、活性酸素種を含む電解水を生成する。
【００２９】
ここで、活性酸素種とは、通常の酸素よりも高い酸化活性を持つ酸素分子と、その関連物質のことであり、スーパーオキシドアニオン、一重項酸素、ヒドロキシラジカル、或いは過酸化水素といった所謂狭義の活性酸素に、オゾン、次亜塩素酸（次亜ハロゲン酸）等といった所謂広義の活性酸素を含むものである。
【００３０】
フィルター部９は一回転することによりフィルター部９全周を電解水に浸漬させることができる。送風手段４が送風することにより、空気流路１２に吸気口２から室内空気を送通風することとなり、本体ケース１内に吸込まれて空気浄化手段５を通過する室内空気は電解水と接触することになる。このとき室内空気とともに本体ケース１内に吸込まれる、空気中の細菌、真菌（カビ）、ウイルス、臭い成分などは、フィルター部９上で、電解水と接触することにより、分解、不活化などがなされる。そして、分解、不活化などによって浄化された空気が、吹出口３から室内に供給されることになる。
【００３１】
特に、フィルター部９がフィルター部９の下流側の空気流路１２での相対湿度が飽和する回転速度で回転することで、フィルター部９上において十分水分が含有した状態とすることができ、細菌、ウイルス、臭気などを含む室内空気と電解水の接触する頻度を高め、分解、不活化を行うことができる。また、電解水に細菌、ウイルス、臭気を取り込み、脱臭、除菌効果を向上できる。
【００３２】
また、フィルター部９がフィルター部９の下流側の空気流路１２での相対湿度が飽和する回転速度で回転することで、従来技術に比べてフィルター部９の回転数が高くなり、フィルター部９が再びトレイ６に貯水された電解水に浸水する頻度も増えるので、フィルター部９に付着した細菌、ウイルス、臭気などの汚れをトレイ６内の電解水に拡散させて洗い流す効果が向上する。これにより再度きれいな状態の電解水をフィルター部９に含ませることができ、結果として除菌、脱臭性能を高めた空気浄化装置を提供することができる。
【００３３】
以上のように、本実施例によれば、除菌、脱臭性能を高めることができる空気浄化装置を簡単な構成で提供することができる。
【産業上の利用可能性】
【００３４】
家庭用や事務用、公共空間などの、除菌・脱臭などの空気浄化装置としての活用が期待されるものである。
【符号の説明】
【００３５】
１        本体ケース
２        吸気口
３        吹出口
４        送風手段
５        空気浄化手段
６        トレイ
７        給水タンク
８        電解ユニット
９        フィルター部
１０      水栓
１１      キャップ
１２      空気流路
１３      湿度センサ
１４      駆動部
【図１】
2016043108.tif 000003
【図２】
2016043108.tif 000004
【図３】
2016043108.tif 000005